(57)【要約】【課題】傾斜した折版屋根を、該折版屋根一面を傷付けることなく緑化する。【解決手段】１または複数の植栽用成形ブロック６が収容された植栽トレイ３に植物Ｐが植えられている植栽ユニット２と、折版屋根１００の隣り合う山部１０１に架け渡され、折版屋根の谷部１０２内に植栽ユニットを支持する横架部材と、折版屋根の山部を架け渡すように張設されている植物支持部材７を備え、横架部材は、植栽ユニットと折版屋根との間に空隙を設けるように、植栽ユニットを支持する構成とした緑化システム１を提供する。【選択図】図１
2011142887.tif 000002
【特許請求の範囲】
【請求項１】
折版屋根を緑化するためのシステムであって、
１または複数の植栽用成形ブロックが収容された植栽トレイを有する植栽ユニットと、
前記折版屋根の隣り合う山部に架け渡され、前記折版屋根の谷部内に前記植栽ユニットを支持する横架部材と、
前記植栽ユニットが配されていない谷部の上に配設されるよう前記折版屋根の山部に架け渡され、前記植栽用成形ブロックに植えられた植物を支持する植物支持部材を備え、
前記横架部材は、前記植栽ユニットと前記折版屋根との間に空隙を設けるように、前記植栽ユニットを支持することを特徴とする緑化システム。
【請求項２】
前記折版屋根の１つの谷部には複数の植栽ユニットが配置され、前記１つの谷部内の植栽ユニット同士は給水パイプによって接続されており、
前記植栽ユニットに水を供給するための給水装置から最上段の植栽ユニットに供給された水は、前記給水パイプを経由して、接続された隣の植栽ユニットに流入可能になっていることを特徴とする請求項１に記載の緑化システム。
【請求項３】
前記植栽トレイの底部には、前記折版屋根の傾斜方向と略垂直に交わる堰止めリブが形成されていることにより、前記植栽トレイの底部は複数の区画に分割され、
前記植栽用成形ブロックは各区画に格納され、
前記植栽ユニット内に供給された水が前記堰止めリブによって貯えられることを特徴とする請求項２に記載の緑化システム。
【請求項４】
前記植物は、蔓または蔦植物であることを特徴とする請求項１〜３のいずれか１項に記載の緑化システム。
【請求項５】
前記蔓または蔦植物は、オカメヅタ又はこれに類するヘデラであることを特徴とする請求項４に記載の緑化システム。
【請求項６】
前記給水装置は、同じ谷部の植栽ユニットのうち最下段の植栽ユニットに設けられた前記植栽用成形ブロック内部の水分の存在を感知するセンサと、該センサからの信号に応じて給水を制御する制御装置とを有することを特徴とする請求項２〜５のいずれか１項に記載の緑化システム。
【請求項７】
前記植栽トレイの底面には保水マットが載置されており、該保水マット上に前記植栽用成形ブロックが載置されていることを特徴とする請求項１〜６のいずれか１項に記載の緑化システム。
【請求項８】
前記植栽トレイはその上面にブロック保持蓋を有しており、該ブロック保持蓋と前記植栽用成形ブロックとの間には空間が設けられていることを特徴とする請求項１〜７のいずれか１項に記載の緑化システム。
【請求項９】
前記植物支持部材は前記横架部材に取り付けられた固定具により固定されていることを特徴とする請求項１〜８のいずれか１項に記載の緑化システム。
【発明の詳細な説明】
【技術分野】
【０００１】
本発明は、建築物の屋上などに緑化を施すための緑化システムに関する。
【背景技術】
【０００２】
従来、都市部におけるヒートアイランド現象の緩和や大気中の炭酸ガスの吸収、アメニティ空間の創出などを目的として、建築物や駐車場などの人工地盤上に植栽を施し緑化することが行なわれている。特に、都市部においては屋上緑化の義務化も進められていることも関係して、緑化が施されたビルや工場が急速に増えてきている。
【０００３】
建築物の屋上を緑化する場合、陸屋根（平屋根）に対して植栽を施し緑化するシステムが一般的である。この場合、天然の土壌ではなく、人工の土壌を使用して、植栽を行うことにより、より簡単に緑化を施すことができることが知られている。
しかし、陸屋根は排水性などの問題があるため、工場などの建物は勾配のある屋根を採用することが多い。このような勾配のある屋根を緑化する方法として、特許文献１に開示された方法がある。この方法は、屋根の表面に無機繊維と接着剤との混合物を吹き付けることで所定厚さの無機繊維層を形成し、その層の表面に種子と接着剤の混合物を吹きつけるという方法である。
また、特許文献２に開示されているように、傾斜した折版屋根を緑化するシステムも知られている。このシステムは、傾斜した折版屋根の谷部に植栽トレイと設置するタイプの緑化システムである。
【先行技術文献】
【特許文献】
【０００４】
【特許文献１】特公昭５１―２１８９５号公報
【特許文献２】特開２００３−３３９２４１号公報
【発明の概要】
【発明が解決しようとする課題】
【０００５】
ところで、特許文献１に記載の緑化システムのように、傾斜した屋根全体に人工の土壌を敷くシステムにおいては、屋根に掛かる重量が大きくなり、屋根への負担が増えるという問題があった。また、水分の供給に関しても、面全体に均一に水分を行き渡らせることが難しいという問題があった。さらに、人工土壌が外部に曝されているため、雑草などが生えやすいという問題もあった。
また、特許文献２に記載の緑化システムにおいては、植栽トレイを直接折版屋根の谷部に設置する構成であるため、折版屋根を傷付け、折版屋根に錆びを発生させる原因となるという問題があった。
【０００６】
この発明は、このような事情を考慮してなされたもので、その目的は、軽量で屋根に負担をかけることなく、また屋根を傷付けることがなく、さらに効率的に植物に水分を供給することを可能とする緑化システムを提供することにある。
【課題を解決するための手段】
【０００７】
上記の目的を達成するために、この発明は以下の手段を提供している。
本発明の緑化システムは、折版屋根を緑化するためのシステムであって、１または複数の植栽用成形ブロックが収容された植栽トレイを有する植栽ユニットと、前記折版屋根の隣り合う山部に架け渡され、前記折版屋根の谷部内に前記植栽ユニットを支持する横架部材と、前記植栽ユニットが配されていない谷部の上に配設されるよう前記折版屋根の山部に架け渡され、前記植栽用成形ブロックに植えられた植物を支持する植物支持部材を備え、前記横架部材は、前記植栽ユニットと前記折版屋根との間に空隙を設けるように、前記植栽ユニットを支持することを特徴としている。
前記折版屋根の１つの谷部には複数の植栽ユニットが配置され、前記１つの谷部内の植栽ユニット同士は給水パイプによって接続されており、前記植栽ユニットに水を供給するための給水装置から最上段の植栽ユニットに供給された水は、前記給水パイプを経由して、接続された隣の植栽ユニットに流入可能になっていることが好ましい。
前記植栽ユニットに水を供給するための給水装置を備え、前記折版屋根の同じ谷部には複数の植栽ユニットが配置され、前記同じ谷部の植栽ユニットは給水パイプによって接続されていることが好ましい。
前記植栽トレイの底部には、前記折版屋根の傾斜方向と略垂直に交わる堰止めリブが形成されていることにより、前記植栽トレイの底部は複数の区画に分割され、前記植栽用成形ブロックは各区画に格納され、前記植栽ユニット内に供給された水が前記堰止めリブによって貯えられることが好ましい。
【０００８】
前記植物は、蔓または蔦植物であることが好ましい。
前記蔓または蔦植物は、オカメヅタ又はこれに類するヘデラであることが好ましい。
前記給水装置は、同じ谷部の植栽ユニットのうち最下段の植栽ユニットに設けられた前記植栽用成形ブロック内部の水分の存在を感知するセンサと、該センサからの信号に応じて給水を制御する制御装置とを有することが好ましい。
前記植栽トレイの底面には保水マットが載置されており、該保水マット上に前記植栽用成形ブロックが載置されていることが好ましい。
前記植栽トレイはその上面にブロック保持蓋を有しており、該ブロック保持蓋と前記植栽用成形ブロックとの間には空間が設けられていることが好ましい。
前記植物支持部材は前記横架部材に取り付けられた固定具により固定されていることが好ましい。
【発明の効果】
【０００９】
本発明の緑化システムによれば、１または複数の植栽用成形ブロックが収容された植栽トレイに植物が植えられている植栽ユニットと、折版屋根の隣り合う山部に架け渡され、折版屋根の谷部内に植栽ユニットを支持する横架部材と、折版屋根の山部を架け渡すように張設されている植物支持部材を備え、前記横架部材は、前記植栽ユニットと前記折版屋根との間に空隙を設けるように、前記植栽ユニットを支持する構成とした。この構成により、屋根領域において植物が植物支持部材上を這うことができるようになり、かつ、植栽ユニットによって屋根が傷付けられることがなく、雨水の流れを阻害することがない。また、植栽用成形ブロックを使用するため、緑化システムの重量が小さくなり、屋根への負担を減らすことができる。
また、複数の植栽ユニット同士を給水パイプによって接続し、屋根の勾配を利用して水分を行き渡らせる構成としたため、各植栽ユニットに対してより効率的に、かつ確実に水分を供給することができる。
植栽トレイの底部に堰止めリブが形成され、植栽ユニット内に供給された水が堰止めリブによって貯えられることによって、植栽ユニット内に収容された複数の植栽用成形ブロックに確実に水を吸収させることができる。
【００１０】
緑化システムに使用する植物として、蔓または蔦植物、特にオカメヅタ又はこれに類するヘデラを採用することによって、植栽ユニットを屋根上に離間して配置した場合においても、より広面積の屋根を緑化することができる。
給水装置が、最下段の植栽ユニットに設けられた植栽用成形ブロック内部の水分の存在を感知するセンサと、このセンサからの信号に応じて給水を制御する制御装置とを有することによって、定期的な給水や、人手による給水と比較して、効率的に無駄のない給水を行うことができる。
植栽トレイの底面に保水マットが載置されており、この保水マット上に植栽用成形ブロックが載置されていることによって、植栽用成形ブロックの下部を常に水に浸すことなく、植栽用成形ブロックに水が吸収されるようになる。
ブロック保持蓋と植栽用成形ブロックとの間に空間が設けられていることによって、日光が上方よりブロック保持蓋に当たった際においても、日光がブロック保持蓋に当たることによって発生した熱が、直接的に植栽用成形ブロックに伝達するとこがない。
植物支持部材が、横架部材に取り付けられた固定具により固定されていることによって、折版屋根を加工することなく、植物支持部材を取り付けることができる。
【図面の簡単な説明】
【００１１】
【図１】本発明に係る緑化システムの概略を示す斜視図である。
【図２】本発明の植栽トレイを示す斜視図である
【図３】本発明のブロック保持蓋を示す斜視図である。
【図４】本発明の植栽ユニットの水の流れ方向に沿う断面による断面図である。
【図５】図４のＶ−Ｖに沿う断面図である。
【図６】折版屋根上において、オカメヅタの伸びる範囲を示す図である。
【図７】本発明の給水装置および植栽ユニットの配置パターンを示す概略構成図である。
【発明を実施するための形態】
【００１２】
以下、本発明の実施の形態を図面に基づいて詳細に説明する。図１は、本発明の実施の形態を示す概略構成図である。以下の説明において、図１の矢印Ｌが示す方向を、前後方向、矢印Ｗが示す方向を左右方向と称すことがある。
本発明の緑化システム１は、傾斜した折版屋根１００の谷部１０２の空間に吊り下げられた複数の植栽ユニット２、植栽ユニット２を吊り下げるための支持手段５、植栽ユニット２に植栽されたオカメヅタＰ（植物）と呼ばれる蔓または蔦植物が這うことが可能なように配置された植物支持部材７、植栽ユニット２内に水Ｗを導入するための給水装置８とから構成される。複数の植栽ユニット２は、折版屋根１００上に互いに離間されて配置されている。
植栽ユニット２は、８つの植栽用成形ブロック６と、この植栽用成形ブロック６を収容する植栽トレイ３とから構成されており、植栽用成形ブロック６にオカメヅタＰが植えられている。このオカメヅタＰがその成長に伴い植物支持部材７上を這うように広がることで、屋上（折版屋根１００）全体が緑化される。
【００１３】
ここで、本発明に使用される植物Ｐであるオカメヅタと、このオカメヅタを生育するために使用される植栽用成形ブロック６について順に説明する。
オカメヅタは、ウコギ科の常緑藤本（蔓植物）であり、アイリッシュアイビー（セイヨーキヅタ）と同じ仲間である、やや大型の植物である。性質は強健で、屋外緑化などで街路やマンションの植え込みなどでもよく見られるなど、ガーデニングの素材や、いろいろな仕立てに使われる用途の広い植物である。生育温度は１５℃〜２０℃であるが、０℃以下にも耐える耐寒性を有している多年草である。成長速度が速く、平面的に伸びる性質を持っているため、屋上緑化に適した特性を有している。
また、例えば、風の大変強い場所や冷寒地などでは、他のヘデラを採用することも可能である。
なお、本発明の緑化システム１で用いられる植物の種類は特に限定されるものではないが、より効率的に広面積を緑化するためには、例えば、蔓植物や蔦植物など、ほふく性があり、植物支持部材２上を這うことができるものが好ましい。
【００１４】
植栽用成形ブロック６は、例えばスポンジ等の吸水性材料からなる植物床材であり、軽量で保水能力の高い人工の苗床である。植栽用成形ブロック６の形状は、特に限定されるものではないが、鉢形状であることが好ましい。
このような成形ブロック６を使用することにより、土を使用することがなくなるため、土が崩れて周囲を汚すことがない。また、屋根に対する負荷が少ないシステムを構築することができる。
【００１５】
以下、上述した緑化システム１を構成する、個々の構成要素について説明する。
まず、本発明の緑化システムに使用される植栽トレイ３について説明する。図２は本発明の植栽トレイ３の斜視図である。以下の説明において、図２の矢印Ｌが示す方向を、前後方向、矢印Ｗが示す方向を左右方向と称す。図４には、植栽トレイ３の断面形状が示されている。
植栽トレイ３は、樹脂成形により得ることができる容器であり、本実施形態では高密度ポリエチレン（ＨＤＰＥ）によって形成された、バスタブ状の容器である。植栽トレイ３は、内部に植栽用成形ブロック６を８つ格納可能するのに適した容積を有しており、植栽用成形ブロック６がトレイの長手方向（前後方向）に４つ、トレイの短手方向（左右方向）に２つ格納されるよう構成されている。
植栽トレイ３は、平面視矩形のバスタブ形状であり、植栽用成形ブロック６が載置されるトレイ底部３１、植栽トレイ３の長手方向の側面を構成する第１トレイ側部３２、トレイの短手方向の側面を構成する第２トレイ側部３３、植栽トレイ３の上面であって植栽トレイの開口部の周囲を構成するトレイ上部３４とから構成されている。
植栽トレイ３を構成する板の厚みは約４ｍｍであり、植栽トレイ３の周囲は、トレイ補強リブ３７によって適宜補強されている。
植栽トレイ３の深さは、後述する保水マット６１と植栽用成形ブロック６とを重ねた高さと略同一である。本発明の植栽トレイの深さは、約１２０ｍｍである。
【００１６】
トレイ底部３１には、トレイの短手方向に沿う方向に３つの堰止めリブ３５が設けられている。堰止めリブ３５は、トレイ底面３１を４つの区画（３Ａ〜３Ｄ、図４参照）に区切るように設けられており、各区画は略同一面積となるように構成されている。各区画の面積は、２つの植栽用成形ブロック６を配置するのに適した面積となっている。各堰止めリブ３５の高さは約２５ｍｍであるが、折版屋根１００の傾斜角度Ａ（図４参照）に応じて適宜変更することが可能となっている。堰止めリブ３５は、植栽トレイ３と一体に成形されることが好ましいが、別途リブ形状の板を取り付けてもよい。
【００１７】
第２トレイ側部３３の左右方向略中央には、略円形の給水孔３６が形成されており、この給水孔３６には、後述する給水パイプ８１が連結される。給水孔３６の高さ方向の位置は、この給水パイプ８１が、給水孔３６に接続された際、給水パイプ８１の内径の最下部が堰止めリブ３５の高さと略同一になるような位置に形成される。
【００１８】
植栽トレイ３の上面には、ブロック保持蓋４取り付けることができる。このブロック保持蓋４については後述する。トレイ上部３４には、ブロック保持蓋４を取り付ける際に使用する蓋取付け孔３８、および支持手段５に固定する際に使用する支持手段取付け孔３９が適宜形成されている。
【００１９】
次に、ブロック保持蓋４について説明する。図３は、本発明のブロック保持蓋４を示す斜視図である。図４には、ブロック保持蓋４の断面形状が示されている。
ブロック保持蓋４は、植栽トレイ３と同様に、樹脂成形により得ることができる板状の部材であり、本実施形態では高密度ポリエチレン（ＨＤＰＥ）によって形成されている。
ブロック保持蓋４は、植栽トレイ３にオカメヅタPを植栽した植栽用成形ブロック６を格納した上で、植栽トレイ３に取付けられ、オカメヅタPの生育を妨げないようにしながら植栽用成形ブロック６を保持するためのものである。
【００２０】
ブロック保持蓋４は、植栽トレイ３の長手方向に沿う中心線において２分割されており、この一対のブロック保持蓋４を組み合わせることで、４つの開口部２２（図１参照）が形成される。この開口部２２は、ブロック保持蓋４に設けられた開口溝４４によって形成される。開口部２２は、植栽トレイ３内に８つの植栽用成形ブロック６（およびオカメヅタP）が収容された際に、植栽用成形ブロック６の平面視中心部を露出させるような形状となっている。本実施形態においては、開口部２２は、植栽トレイ３の短手方向が長軸である長円形状である。開口部２２は、オカメヅタPの生育を妨げることがなければ、小さいほど好ましい。
ブロック保持蓋４には、植栽トレイ３の蓋取付け孔３８に対応した取付け孔４８が形成されている。
【００２１】
ブロック保持蓋４には、ブロック保持蓋４の外形より所定距離を隔てた内側に勾配部４５が設けられており、この勾配部４５を境界として、蓋第１段部４１および蓋第２段部４２とに分けられた２段構成となっている。第１段部４１の下面４１ａ（図４参照）は、植栽用成形ブロック６が収容された植栽トレイ３にブロック保持蓋４を取り付けた際、植栽用成形ブロック６および植栽トレイ３に接触する。このとき、蓋第２段部４２の下面４２ａ（図４参照）と植栽用成形ブロック６との間には、空間Ｇが設けられるよう構成されている。
さらに、ブロック保持蓋４には、蓋強化リブ４７が適宜形成されており、この蓋強化リブと、勾配部４５によって、ブロック保持蓋４全体の強度を上げるよう構成されている。
【００２２】
次に、図１、図４、および図５を参照して、植栽ユニット２の構成について説明する。図４は本発明の植栽ユニット２の水の流れ方向Ｆに沿う断面による断面図である。図５は、図４のＶ−Ｖに沿う断面図である。
植栽ユニット２は、植栽トレイ３の内部に保水マット６１、および植栽用成形ブロック６が格納された上で、ブロック保持蓋４によって蓋をした構成である。
【００２３】
保水マット６１は、堰止めリブ３５によって４分割されたトレイ底部３１の区画と平面視が略同形状の板形状のマットであり、１つの植栽ユニット２に対して４つ使用される。厚さは堰止めリブ３５の高さに対応しており、本実施形態においては、保水マット６１の厚さは２０ｍｍである。
保水マット６１は、植栽用成形ブロック６と同様に、保水能力の高いスポンジ状の材質により形成されている。
保水マット６１は、植栽トレイ３の底部の区画３Ａ〜３Ｄに１つずつ置かれており、各保水マット６１の上に２つの植栽用成形ブロック６が載置される構成となっている。
【００２４】
植栽用成形ブロック６は、１つの保水マット６１上に２つずつ載置されるため、１つの植栽ユニット２に８つずつ収納される。本実施形態の植栽用成形ブロック６は、高さ約１００ｍｍ、直径約１００ｍｍの鉢形状である。植栽用成形ブロック６は、上述した保水マット６１の上面と、植栽用成形ブロック６の下面とが、面接触するように設置される。
植栽用成形ブロック６にはオカメヅタＰが植えられる。本発明の緑化システム１においては、１つの植栽用成形ブロック６に対して、４株のオカメヅタＰが植えられている。
【００２５】
ブロック保持蓋４は、オカメヅタＰが植えられた状態の植栽用成形ブロック６を覆うように、所定のプラスチックリベット２１を用いて植栽トレイ３に取り付けられる。これにより、植栽用成形ブロック６が不用意に落下することがなくなる。さらに、開口部２２以外は、ブロック保持蓋４によって遮蔽されるため、他の植物の種子や、鳥のフンなどが植栽トレイ３の中に入り込むことが少なくなる。
ブロック保持蓋４を植栽トレイ３に取り付けると、ブロック保持蓋４の第１段部４１の下面４１ａが、植栽用成形ブロック６の上面と当接する。ブロック保持蓋４の下面４１ａのみが、植栽用成形ブロック６に接触するように構成されているため、ブロック保持蓋４と植栽用成形ブロック６との間には、空間Ｇが生まれる。これによって、日光が上方よりブロック保持蓋６に当たった際においても、日光がブロック保持蓋４に当たることによって発生した熱が、直接的に植栽用成形ブロック６に伝達するとこがない。
【００２６】
次に、植栽ユニット２の固定方法について説明する。
上述したように、本発明の緑化システムにおいて、オカメヅタＰが植栽される植栽ユニット２は、折版屋根１００の谷部１０２に吊り下げられる形で固定されている。植栽ユニット２は、その前後をそれぞれ横架部材５１で支えられている。横架部材５１は、折版屋根の隣り合うハゼ部１０１（山部）に架け渡されている。横架部材５１とハゼ部１０１とは、ハゼ金具５２によって連結されている。
【００２７】
横架部材５１は、一般に溝形鋼と呼ばれる断面コの字状の鋼材である。本実施形態においては、材質がＳＵＳ３０４、寸法は高さ３０ｍｍ、板厚１．２ｍｍの溝形鋼を使用している。長さは、折版屋根１００のハゼ間距離に依存するが、本実施形態の折版屋根１００のハゼ間距離は５００ｍｍであるため、横架部材５１の長さは約６００ｍｍとされている。横架部材５１には植栽トレイ３の支持手段取付け孔３９に対応した取付け孔が形成されている（図示せず）。
【００２８】
ハゼ金具５２としては、一般的なハゼ金具を使用することができる。図１、および図５に示した実施形態においては、折版屋根１００としてヨドルーフ１６６ハゼ（淀川製鋼製）を使用しており、このハゼに適したハゼ金具を用いている。
本実施形態のハゼ金具５２は、一対のハゼ固定アングル５２ａから構成されている。ハゼ金具５２を、折版屋根１００のハゼ部１０１に固定する際は、一対のハゼ固定アングル５２ａによりハゼ部１０１を左右方向から挟み、その上で一対のハゼ固定アングル５２ａを締結部材５５によって締結する。
【００２９】
植栽ユニット２を折版屋根１００上に固定する際は、まず、ハゼ部１０１にハゼ金具５２を固定したあと（４ヶ所）、ハゼ金具５２の上面に締結部材５６を用いて横架部材５１を固定する。次に、植栽トレイ３のトレイ上部３４を横架部材５１に乗せるようにして、植栽ユニット２を横架部材５１上に載置し、所定の締結部材５７（図１参照）を用いて植栽ユニット２を固定する。
【００３０】
なお、折版屋根の屋根勾配は、分数勾配で３／１００（高さ／水平距離）が好ましいが、１０／１００まで対応可能である。
【００３１】
次に、給水装置８について説明する。図７は、本発明の給水装置８の概略構成図である。
給水装置８は、折版屋根１００の同じ谷部１０２に固定されている植栽ユニット２（以下、植栽ユニット列と称す）どうしを連結する給水パイプ８１と、植栽用成形ブロック６内部の湿度を計測するセンサ８２と、センサ８２の情報に応じて、水を供給したり供給を止めたりするための電磁バルブ８３と、図示しない制御装置とから構成されている。
【００３２】
電磁バルブ８３は建物内、または屋根上など所定の位置に設置されており、水道管８６が接続されている。電磁バルブ８３からは、給水パイプ８１によって、植栽ユニット列の最上段の植栽ユニット２に水が供給される。同じ植栽ユニット列の植栽ユニット２どうしは、給水パイプ８１によって連結されている。給水パイプ８１は、植栽トレイ３の給水孔３６に所定の方法で取り付けられる。給水パイプ８１は、塩化ビニル製のホースが好ましい。
植栽ユニット列の最下段の植栽ユニット２には、植栽ユニット２内部に収容されている植栽用成形ブロック６の湿度を測定するセンサ８２が設置されており、このセンサ８２の信号は、信号線８５によって電磁バルブ８３に送信される。
【００３３】
本発明の給水装置８は、このセンサ８２が植栽用成形ブロック６の湿度の低下を感知すると、図示しない制御装置によって電磁バルブ８３が開状態となり、最上段の植栽ユニット２に水が供給される構成である。
なお、図７においては、センサ８２は、１つしか図示されていないが、各植栽ユニット列の最下段の植栽ユニット２に１つずつ設けられることが好ましい。また、植栽用成形ブロック６の湿度を計測するのではなく、植栽トレイ３内部の水位を計測するためのセンサを用いて、電磁バルブ８３を制御してもよい。
また、センサを用いることなく、定期的に水を供給することによって、運用することも可能である。
【００３４】
次に、図１、および図７を参照して、植物支持部材７について説明する。
植物支持部材７は、植物Ｐを這わせることができ、かつ、屋根面を覆うことができるような面を有する部材である。さらに、植物支持部材７は、植物Ｐが絡まることができるような形状となっている。
このような植物支持部材７としては、平面形状の一般的な防護ネットを使用することが好ましい。また、植物支持部材７は、オカメヅタＰが植物支持部材７の下に飛び出さないような目合い（隣接する糸条間の距離）とすることが好ましく、本発明の緑化システム１は、４５ｍｍ×４５ｍｍの目合いのネットを使用している。
植物支持部材７は、植物支持部材を構成する面が植栽用成形ブロック６の上面と略同一の高さになるように張設される。
【００３５】
植物支持部材７は、図１に示すように、横架部材５１に取り付けられた固定具５３で固定することが好ましい。固定具５３を用いて横架部材５１に植物支持部材７を固定することで、折版屋根１００に負担をかけることなく、植物支持部材７を張設することができる。また、固定具５３に限らず、植物支持部材を固定することができれば、締結方法は問わない。
植物支持部材７の張り具合は、オカメヅタＰが植物支持部材７上に這う状態においても、植物支持部材７が弛まないよう、十分な張力で張ることが好ましい。
図７には、植物支持部材７の設置方法が示されている。図７に示すように、植物支持部材７は、左右方向に隣り合う植栽ユニット２の間を埋めるように、折版屋根１００の傾斜方向に延在するように張設される。植物支持部材７の大きさは、左右方向に隣り合う植栽ユニット２の間隔、および折版屋根１００の大きさに応じて適宜調節される。ただし、折版屋根１００の傾斜方向の長さについては、適宜分割してもよい。
また植物支持部材７は、図７のような形状に限らず、折版屋根１００を可能な限り覆うように、植栽ユニット２部分のみをくり貫いたような形状とすることも可能である。
【００３６】
また、折版屋根１００の下端には、オカメヅタＰが屋根の下方へ垂れ下がらないような、ストッパー（図示せず）を設けることが好ましい。
【００３７】
次に、このように構成される本発明の緑化システム１の作用について説明する。
本発明の緑化システム１は、植栽ユニット２に植えられた複数のオカメヅタＰが、植栽ユニット２を中心に円を描くように生育する。オカメヅタＰは、垂直ポールなどの支持部材がない場合には、上方へ伸びる性質はないため、水平方向に伸びる。本発明の緑化システム１には、植物支持部材７が植栽用成形ブロック６の上面と略同一平面上に張設されているため、オカメヅタＰは、植物支持部材７上を這うように伸びる。
【００３８】
図６は、折版屋根１００上において、オカメヅタＰの伸びる範囲を示す図である。
本発明の緑化システム１は、オカメヅタＰの生育範囲を考慮して、植栽ユニット２どうしを離間させて設置している。オカメヅタＰは、水平方向に伸びる性質、および生育時間に比例して鉢からの距離を伸ばす性質がある。本発明の緑化システム１はこの性質を考慮して、植栽ユニット２どうしの間隔Ｄを定めた。図６に示した例においては、前後方向１０００ｍｍ、左右方向１０００ｍｍとした。
【００３９】
オカメヅタは気温１０℃〜３０℃の状況においては、３ヶ月で約５００ｍｍ伸びる性質を有している。図６の楕円Ｐ１は、その育成範囲を示している。
植栽ユニット２に収容されている８つの植栽用成形ブロック６からそれぞれオカメヅタが伸びると、円Ｐ２に示すような範囲が緑化される。つまり、緑化システム２を設置して３ヶ月後には、図６のＰ２に示すような範囲が緑化されることになる。つまり、植栽ユニット２の中心から半径５００ｍｍの範囲が緑化される。さらに３ヶ月が経過すれば、屋根全体が緑化される。
【００４０】
また、植栽ユニット２の設置間隔は、適宜変更することが可能である。
図７は、植栽ユニット２の配置パターンを示す図であり、（ａ）は、より狭い間隔の設置パターンであり、（ｂ）は、より広い間隔の設置パターンを示す図である。
まず図７（ａ）に示す配置パターンにおいては、植栽ユニット２は、前後方向の間隔Ｄ１ａを約７５０ｍｍ、左右方向の間隔Ｄ２ａを約１０００ｍｍとして配置されている。
図６に示す配置は、前後方向の間隔および左右方向の間隔が１０００ｍｍであるので、１つの植栽ユニットが１ｍ２当たりに１つ設置されていることを示している。
これに対し、図７（ａ）に示す配置パターンは、植栽ユニット２が０．７５ｍ２当たりに１つ設置されており、植栽ユニット２はより密に設置されている。このような設置パターンを採用することによって、より早い緑化が可能となる。
【００４１】
図７（ｂ）に示す配置パターンにおいては、植栽ユニット２は、前後方向の間隔Ｄ１ｂを約１５００ｍｍ、左右方向の間隔Ｄ２ｂを約２０００ｍｍとして配置されている。
この配置パターンでは、植栽ユニット２が３ｍ２当たりに１つ設置されており、図６に示した配置パターンと比較して、植栽ユニット２はより疎に設置されている。このような設置パターンは、屋根全体を緑化するのにより長い時間を必要とするが、より低コストでの緑化が可能となる。
【００４２】
以上に説明したように、本発明の緑化システム１は、使用する植物や、費用、設置する場所の気候など、様々な条件に応じて、植栽ユニット２の配置をフレキシブルに設定することが可能である。また、緑化システム１の設置後に、植栽ユニット２の数を増加させて、より緑を増やしたり、別の植物を混在させたりするなど、設置後の変更も可能である。
【００４３】
次に、図４、図７を参照して、本発明の緑化システム１の給水方法について説明する。
まず、電磁バルブ８を開状態にし、給水８１を解して各植栽ユニット列の最上段に水を供給する。この際、少しずつ保水マット６１に水Ｗが吸収されるような水量とする。
供給された水は、折版屋根１００の傾斜によって、図４のＦ方向から植栽トレイ３内に導かれ、堰止めリブ３５によって形成された区画３Ａに流入する。流入された水Ｗは、当初は、他の区画（３Ｂ、３Ｃ、３Ｄ）に流入することなく、区画３Ａを満たす。水Ｗは、保水マット６１に吸収されたのち、区画３Ａを満たし、次いで、堰止めリブ３５から溢れることで、隣の区画３Ｂに流入する。これを繰り返して、全ての区画３Ａ〜３Ｄに配置された保水マット６１に水Ｗが吸収される。区画３Ｄまで水Ｗが満たされると、水Ｗは給水パイプ８１を通じて、下段に配置された植栽ユニット２に流入する。
つまり、流入する水Ｗは、植栽用成形ブロック６に直接吸収されることはなく、植栽用成形ブロック６と保水マット６１が面接触されていることで、植栽用成形ブロック６が、保水マット６１に吸収された水Ｗを吸収するという構成となっている。
【００４４】
植栽用成形ブロック６は、保水マット６１に吸収された水Ｗを徐々に吸収する。植栽用成形ブロック６が直接、流入してきた水Ｗと接することがないため、少しずつ水Ｗを吸収することが可能となる。つまり、本発明の緑化システム１においては、保水マット６１が、植物Ｐが植えられる植栽用成形ブロック６と水Ｗとの間の緩衝材のような役割を果たす。この構成により、植栽用成形ブロック６の下部を常に水Ｗに浸すことなく、植栽用成形ブロック６に水Ｗが吸収されるようになる。
【００４５】
また、本発明の緑化システム１は、植栽ユニット２と折版屋根１００の谷面１０３との間に空間があるため、雨水を折版屋根１００の谷部１０２に流すことが可能となっている。この雨水を再利用し、給水装置８によって植栽ユニット２に供給することも可能である。
【符号の説明】
【００４６】
１…緑化システム、２…植栽ユニット、３…植栽トレイ、４…ブロック保持蓋、５…支持手段、６…植栽用成形ブロック、７…植物支持部材、８…給水装置、３５…堰止めリブ、３６…給水孔、５１…横架部材、５２…ハゼ金具、５３…固定具、６１…保水マット、８１…給水パイプ、８２…センサ、８３…電磁バルブ、１００…折版屋根、１０１…山部、１０２…谷部、Ｐ…オカメヅタ。
【図１】
2011142887.tif 000003
【図２】
2011142887.tif 000004
【図３】
2011142887.tif 000005
【図４】
2011142887.tif 000006
【図５】
2011142887.tif 000007
【図６】
2011142887.tif 000008
【図７】
2011142887.tif 000009